(57)【特許請求の範囲】
【請求項１】
コネクタに接続される複数本のケーブルを平行に整列させるケーブルカバーであって、
ケーブル整列用のＵ字状の整列溝は、円弧状の凹溝と、隣接する当該凹溝の間に穿設された貫通孔から突出してケーブル間に入り込む剛性な枝部とから形成され、
前記円弧状の凹溝はケーブルカバー本体に形成され、
前記枝部がケーブルカバー本体と別体の櫛形の整列治具において形成され前記貫通孔に着脱自在に挿通されるものであること、
を特徴とするケーブルカバー。
【請求項２】
合成樹脂製のケーブルカバー本体に、ケーブル整列用で円弧状の凹溝が併設されていると共に、
該凹溝のケーブル整列方向と直交する方向であって前記凹溝同士の略中間位置において、当該凹溝側とこれと反対側のケーブルカバー本体表面とに貫通する貫通孔が併設され、
前記貫通孔に挿通されて前記凹溝側に突出し隣接するケーブル間に入り込んで当該ケーブルを整列させ保持する剛性な枝部をその基部で一体に連接した櫛形の整列治具を着脱自在に装備してなること、
を特徴とするケーブルカバー。
【請求項３】
ケーブルカバー本体の貫通孔における孔径の範囲内において、異なる径のケーブルに対応させるように複数種類の幅の整列治具を形成すること、
を特徴とする請求項２に記載のケーブルカバー。
【請求項４】
整列治具は、金属製であること、
を特徴とする請求項１乃至３のいずれかに記載のケーブルカバー。
【発明の詳細な説明】
【０００１】
【発明の属する技術分野】
本発明は、例えば、電気接続用のケーブルを、コネクタに複数本接続する際に使用されるケーブルカバーに関する。
【０００２】
【従来の技術】
従来、コネクタに複数本のケーブルを、半田付け若しくは圧接等の方法により併設して接続する場合には、ケーブルカバーにより前記ケーブルを所定のピッチに整列させて、当該ケーブル端部を前記コネクタに接続させていた。
【０００３】
前記ケーブルカバー１１は、図３に示すように、例えば、合成樹脂製で一体に成形されたもので、ケーブル１２を所定のピッチｐにて整列させるように、当該カバー本体１１ａの片側に、複数個のケーブル用凹溝１１ｂを前記ピッチｐに合わせて形成したものが知られている。
【０００４】
前記ケーブルカバー１１により、複数本のケーブル１２が所定のピッチｐに整列され、コネクタのコンタクトへの半田付け若しくは圧接作業が容易となるものである。
【０００５】
【発明が解決しようとする課題】
しかしながら、前記ケーブル１２が線径の細いものであれば、隣接する前記凹溝１１ｂ，１１ｂ間の枝部１１ｃが、例えば、０．５ｍｍ程度の幅に設定することができて、強度的に強く圧接作業等には支障がないのであるが、図４に示すように、ケーブル１２ａの線径が太くなると、ピッチｐが前記ピッチと同じであるので、前記枝部１１ｃの幅は約０．２ｍｍ程度しか余裕がない。よって、合成樹脂製で形成したのでは強度的に弱く、太径のケーブル１２ａを圧接することができない。
【０００６】
そこで、金属製で所要板厚に凹溝１３ａを複数個設けて、ケーブル用整列板１３を形成する。このケーブル用整列板１３を使用して、太径のケーブル１２ａを整列させ、コネクタに半田付け若しくは圧接作業する。その後、ケーブルカバー（図示せず）を前記ケーブル１２ａに装着するようにしている。このケーブルの接続方法では、ケーブルを整列させるために使用したケーブル用整列板１３を、整列させたケーブルをコネクタに接続又は圧接後に該ケーブルから取り外し、当該ケーブルを再び整列させながらケーブルカバーを装着するとなって二度手間が掛かる、という課題がある。本発明に係るケーブルカバーは、このような課題を解消するために提案されたものである。
【０００７】
【課題を解決するための手段】
本発明に係るケーブルカバーの上記課題を解決するための要旨は、コネクタに接続される複数本のケーブルを平行に整列させるケーブルカバーであって、ケーブル整列用のＵ字状の整列溝は、円弧状の凹溝と、隣接する当該凹溝の間に穿設された貫通孔から突出してケーブル間に入り込む剛性な枝部とから形成され、前記円弧状の凹溝はケーブルカバー本体に形成され、前記枝部がケーブルカバー本体と別体の櫛形の整列治具において形成され前記貫通孔に着脱自在に挿通されるものであることである。」
【０００８】
また、本発明に係るケーブルカバーの要旨は、合成樹脂製のケーブルカバー本体に、ケーブル整列用で円弧状の凹溝が併設されていると共に、該凹溝のケーブル整列方向と直交する方向であって前記凹溝同士の略中間位置において、当該凹溝側とこれと反対側のケーブルカバー本体表面とに貫通する貫通孔が併設され、前記貫通孔に挿通されて前記凹溝側に突出し隣接するケーブル間に入り込んで当該ケーブルを整列させ保持する剛性な枝部をその基部で一体に連接した櫛形の整列治具を着脱自在に装備してなることである。
更に、前記ケーブルカバー本体の貫通孔における孔径の範囲内において、異なる径のケーブルに対応させるように複数種類の幅の整列治具を形成すること、前記カバー本体の貫通孔における孔径の範囲内において、枝部の幅を変えることで、異なる径のケーブルに対応させること、；
また、前記整列治具は、金属製であることを含むものである。
【０００９】
本発明に係るケーブルカバーによれば、予め整列させるべき複数本のケーブルを、前記ケーブルカバーの整列溝に嵌合させる。そして、当該ケーブルカバーをコネクタに、係止部に嵌合させて、若しくは該ケーブルカバーがコネクタに回転自在に連結されていれば閉蓋方向に回転させて、嵌合させる。これにより、前記ケーブルがコネクタに整列して取り付けられ、そのケーブルの先端部を半田付けする。その後、前記ケーブルカバーから、前記整列溝から別体の剛性な枝部だけを抜き去る。このように、ケーブルが太径であっても、整列溝を形成することができて、整列させて圧接作業が可能となり、また、作業工数を低減させて簡易に行うことができる。また、カバー本体の貫通孔における孔径の範囲内において、枝部の幅を変えることで、異なる径のケーブルに対応させることもできるようになる。
【００１０】
【発明の実施の形態】
次に、本発明に係るケーブルカバー１について図面を参照して説明する。なお、発明の理解を容易にするため、従来例に対応する部分には、従来例と同一符号を付けて説明する。
【００１１】
本発明のケーブルカバー１の構成は、図１乃至図２に示すように、コネクタに接続される複数本のケーブル１２ａを平行に整列させる合成樹脂製のケーブルカバーであって、ケーブル整列用のＵ字状の整列溝２がある。
【００１２】
前記整列溝２は、合成樹脂製で断面矩形状の細長いケーブルカバー本体（以下、カバー本体という）１ａにおいて、ケーブル１２ａを整列させる側に、所定のピッチにして併設される。該整列溝２は、前記カバー本体１ａに設けられた円弧状の凹溝１ｂと、隣接する当該凹溝１ｂの間から突出してケーブル１２ａ間に入り込む、矢印状の剛性な枝部３ａとから形成される。
【００１３】
前記枝部３ａは、前記カバー本体１ａとは別体に形成された、金属製板から形成された整列治具３に、前記所定のピッチにして併設されている。前記剛性な枝部３ａをその基部で一体に連接した櫛形の整列治具３である。
【００１４】
前記カバー本体１ａには、前記複数個の枝部３ａを挿通させるための貫通孔１ｃが、前記整列溝２を形成すべくそれぞれ対応した位置に穿設されている。この貫通孔１ｃは、前記凹溝１ｂのケーブル整列方向（図１及び図２において、紙面直交方向）と直交する方向（図では上下方向）であって、隣接する前記凹溝１ｂ，１ｂ同士の略中間位置において、当該凹溝１ｂの存在する側とこれと反対側のカバー本体表面１ｄとに貫通するものである。
【００１５】
なお、この貫通孔１ｃと前記凹溝１ｂとのケーブル整列方向における前後位置は、同じ位置にして形成しても良いし、前後した別の位置でも良く、要は、この貫通孔１ｃに挿通される枝部３ａと凹溝１ｂとが共同して、整列溝２を構成して、ケーブル１２ａの整列作用をするものであればよいのである。
【００１６】
そして、前記カバー本体１ａに、前記櫛形の整列治具３が、図１から図２に示すように、複数個の貫通孔１ｃに枝部３ａを、若干の挿入抵抗に抗して各々挿通させることで着脱自在に嵌合されて、本発明のケーブルカバー１となるものである。
【００１７】
前記ケーブルカバー１によれば、整列させるべき複数本のケーブル１２ａを、前記ケーブルカバー１の整列溝２に押し込んで嵌合させる。
【００１８】
次に、前記ケーブルカバー１をコネクタ（図示せず）に、例えば、該コネクタの係止部にカバー本体１ａの係止部１ｅ，１ｆを係止させることで、嵌合させる。
【００１９】
こうして、前記複数本のケーブル１２ａがコネクタに整列され、そのケーブル先端部が前記コネクタのコンタクト部に当接する。その後、前記ケーブルの先端部を半田付けされ、若しくは、圧接コネクタの場合には圧接されて、電気的に接続する。
【００２０】
その後、前記ケーブルカバー１から、前記整列溝２から別体の剛性な枝部３ａだけを抜き去って、整列治具３を撤去する。このように、ケーブルカバー１によってケーブル１２ａを整列させてコネクタに取り付けた後に、前記整列治具３を取り去るだけで良く、この整列治具３は、他のケーブル本体１ａに転用されてケーブルカバー１として使用される。
【００２１】
他の実施例として、前記カバー本体１ａの貫通孔１ｃにおける孔径の範囲内において、枝部３ａの幅を変えることで、異なる径のケーブル１２ａに対応させるようにする。前記枝部３ａの幅（ケーブル１２ａを整列させるピッチ方向の幅である）を予め、大小複数種類のものを形成しておく。整列治具３は、金属製であるので、容易に揃えられる。よって、カバー本体１ａをケーブル径に対応させて多種類用意しておく必要が無く、部品管理が容易で製作コストの低減になるものである。
【００２２】
【発明の効果】
以上説明したように、本発明に係るケーブルカバーは、コネクタに接続される複数本のケーブルを平行に整列させるケーブルカバーであって、ケーブル整列用のＵ字状の整列溝は、円弧状の凹溝と、隣接する当該凹溝の間に穿設された貫通孔から突出してケーブル間に入り込む剛性な枝部とから形成され、前記円弧状の凹溝はケーブルカバー本体に形成され、前記枝部がケーブルカバー本体と別体の櫛形の整列治具において形成され前記貫通孔に着脱自在に挿通されるものであるので、太径のケーブルであってもケーブル整列作業が容易になされ、整列板の取り外し及びケーブルカバーの装着という２度手間が掛かった従来例の場合よりも、工数削減されると言う優れた効果を奏するものである。
【００２３】
本発明のケーブルカバーは、合成樹脂製のケーブルカバー本体に、ケーブル整列用で円弧状の凹溝が併設されていると共に、該凹溝のケーブル整列方向と直交する方向であって前記凹溝同士の略中間位置において、当該凹溝側とこれと反対側のケーブルカバー本体表面とに貫通する貫通孔が併設され、前記貫通孔に挿通されて前記凹溝側に突出し隣接するケーブル間に入り込んで当該ケーブルを整列させ保持する剛性な枝部をその基部で一体に連接した櫛形の整列治具を着脱自在に装備してなるので、太径のケーブルでも整列溝を形成して、当該ケーブルを整列させることができると言う優れた効果を奏するものである。
【００２４】
また、前記カバー本体の貫通孔における孔径の範囲内において、枝部の幅を変えることで、異なる径のケーブルに対応させるので、ケーブルの径が変わってもカバー本体はそのままにして、そのケーブル径に対応する整列治具を用意するだけでよいので、カバー本体のコスト低減となる。更に、前記整列治具は、金属製であるので、整列作業時に、細い枝部が折れ曲がるなどの不都合が解消されるものである。
【図面の簡単な説明】
【図１】本発明に係るケーブルカバー１の分解し一部を破断して示す正面図である。
【図２】同本発明に係るケーブルカバー１で、その一部を破断して示す正面図である。
【図３】従来例に係るケーブルカバー１１の正面図である。
【図４】同従来例において、太径のケーブルを整列板１３により整列させる様子を示す説明図である。
【符号の説明】
１      ケーブルカバー、            １ａ        ケーブルカバー本体、
１ｂ    凹溝、                      １ｃ        貫通孔、
１ｄ    カバー本体表面、            １ｅ，１ｆ  係止部、
２      整列溝、                    ３          整列治具、
３ａ    枝部、
１１    従来例にケーブルカバー、    １１ａ      カバー本体、
１１ｂ  凹溝、                      １１ｃ      枝部、
１２    ケーブル、                  １２        太径のケーブル、
１３    整列板、                    １３ａ      凹溝。
【図１】
0003968264.tif 000002
【図２】
0003968264.tif 000003
【図３】
0003968264.tif 000004
【図４】
0003968264.tif 000005